(57)【要約】【課題】用紙を糊代部分で綴じるくるみ製本の印刷画像のデータ編集において、糊代部分を意識することなく頁番号の割り付けを容易にする。【解決手段】頁番号ＰＮの用紙への割り付けにおいて、頁番号ＰＮの印刷位置をユーザが選択できるように、頁番号ＰＮの割り付けパターンＰｔ１〜Ｐｔ３８を複数提示する。提示された割り付けパターンＰｔ〜Ｐｔ３８のうち、ユーザの所望する割り付けパターンの選択を受け付ける。選択された割り付けパターンに基づいて、用紙の糊代部分を除いた部分に頁番号ＰＮが印刷されるように、データＨＧＤを編集する。【選択図】図６
2013225230.tif 000002
【特許請求の範囲】
【請求項１】
頁番号を含む印刷画像を用紙に印刷し、該用紙の糊代部分で綴じて冊子にくるみ製本するために、前記印刷画像を表すデータを編集するデータ編集装置において、
前記頁番号を前記用紙に割り付ける際、前記頁番号の印刷位置をユーザが選択できるように、前記頁番号の割り付けパターンを複数提示するパターン提示部と、
前記複数提示された前記割り付けパターンのうち、ユーザが所望する前記割り付けパターンの選択を受け付ける選択受付部と、
前記選択された割り付けパターンに基づいて、前記用紙の前記糊代部分を除いた部分に前記頁番号が印刷されるように、前記データを編集する頁番号データ編集部とを備えたことを特徴とするデータ編集装置。
【請求項２】
前記パターン提示部が、前記ユーザが前記頁番号を前記用紙の片面のみまたは両面に割り付けるのか、および、前記冊子を見開いた際に綴じ位置が左、右もしくは上になるのかに基づいて、前記頁番号の印刷位置を選択できるように、前記割り付けパターンを複数提示するものであることを特徴とする請求項１に記載のデータ編集装置。
【請求項３】
頁番号を含む印刷画像を用紙に印刷し、該用紙の糊代部分で綴じる冊子のくるみ製本において、前記印刷画像を表すデータを編集するためにコンピュータを、
前記頁番号を前記用紙に割り付ける際、前記頁番号の印刷位置をユーザが選択できるように、前記頁番号の割り付けパターンを複数提示するパターン提示手段と、
前記複数提示された前記割り付けパターンのうち、ユーザが所望する前記割り付けパターンの選択を受け付ける選択受付手段と、
前記選択された割り付けパターンに基づいて、前記用紙の前記糊代部分を除いた部分に、前記頁番号が印刷されるように、前記データを編集する頁番号データ編集手段として機能させるためのデータ編集プログラム。
【発明の詳細な説明】
【技術分野】
【０００１】
本発明はくるみ製本のためにデータを編集するデータ編集装置およびプログラムに関する。より詳しくは、用紙に印刷画像を印刷して糊代部分で綴じて冊子に製本するために、印刷画像のデータを編集するデータ編集装置およびプログラムに関する。
【背景技術】
【０００２】
従来、用紙に印刷画像を印刷して冊子に形成する方法として、袋とじ印刷やくるみ製本等の方法が知られている。そして、形成された冊子は頁を捲ると、印刷画像が頁順に印刷されていることが当然に要求される。しかしながら、袋とじ印刷においては、同一用紙において綴じ位置の左側部分と右側部分とでは非連続な頁番号に対応する印刷画像を印刷する必要があり、印刷画像を用紙に連続して印刷する際、ユーザは各頁番号に対応する印刷画像をどの順番で印刷すべきかを考慮しつつ、印刷画像の割り付けを行う必要がある。
【０００３】
特許文献１には、袋とじ印刷において、同一用紙において綴じ位置の左側部分と右側部分とでは非連続な頁番号に対応する印刷画像を有する場合であっても、ユーザが１回の印刷指令を行うことにより、連像して印刷できる技術が提案されている。一方、くるみ製本によって冊子を形成する場合は、同一用紙に割り付けられる印刷画像は、両面印刷を行う場合であっても、同一用紙の一方の面に印刷される印刷画像と他方の面に印刷される印刷画像とは連続な番号に対応するものとなる。
【先行技術文献】
【特許文献】
【０００４】
【特許文献１】特開昭６３−９５５２９号公報
【発明の概要】
【発明が解決しようとする課題】
【０００５】
しかしながら、くるみ製本においては、用紙を表紙で包んで製本を行う際、各用紙の背側の端のみに糊を塗布することで各用紙を綴じて冊子を形成する場合や、剛性を高めるために各用紙の背側の端部を糊代部分とし、糊代部分同士を接着することで各用紙を綴じて冊子を形成する場合がある。そして、くるみ製本された冊子において、糊代部分は見開いた際にユーザが視認できない部分となり、用紙のうち糊代部分を除く部分（以下、見開き部分と称する）が視認できる部分となる。
【０００６】
したがって、印刷画像を用紙に割り付ける際には糊代部分を意識する必要がある。特に、頁番号は用紙の背側近傍に印刷する場合もあり、糊代部分を意識しないで割り付けると、頁番号の少なくとも一部が糊代部分に印刷されてしまい、冊子の美観を損ねる虞がある。また、糊代部分を意識しないで頁番号を用紙の中央に割り付けると、頁番号が見開き部分の中央よりも綴じ位置側に印刷されてしまい、やはり冊子の美観を損ねる虞がある。特許文献１は、このくるみ製本を行う際の頁番号の割り付けについては何ら提案するものではない。
【０００７】
本発明の目的は、上記事情に鑑み、くるみ製本において冊子を形成する際、用紙の糊代部分を意識することなく、所望の印刷位置に頁番号を容易に割り付けられるデータ編集装置およびプログラムを提供することにある。
【課題を解決するための手段】
【０００８】
上記の課題を解決するために、本発明のデータ編集装置は、頁番号を含む印刷画像を用紙に印刷し、用紙の糊代部分で綴じて冊子にくるみ製本するために、印刷画像を表すデータを編集するデータ編集装置において、頁番号を用紙に割り付ける際、頁番号の印刷位置をユーザが選択できるように、頁番号の割り付けパターンを複数提示するパターン提示部と、複数提示された頁番号の割り付けパターンのうち、ユーザが所望する割り付けバターンの選択を受け付ける選択受付部と、選択された割り付けパターンに基づいて、用紙の糊代部分を除く部分に頁番号が印刷されるように、データを編集する頁番号データ編集部とを備えたことを特徴とする。
【０００９】
本発明のデータ編集プログラムは、コンピュータを上記のデータ編集装置として機能させるために、上記パターン提示部をパターン提示手段、上記選択受付部を選択受付手段、上記頁番号データ編集部を頁番号データ編集手段としてそれぞれ機能させるものである。ここで、本発明のデータ編集装置およびプログラムにおける「頁番号を含む印刷画像」とは、頁番号を表す画像を含んでいる印刷すべき画像を意味する。また、「印刷画像を表すデータ」とは、用紙に印刷される際の画像データを意味する。また、上記「糊代部分」とは、背に対応する端を含む部分であって、糊を塗布することで用紙同士を互いに接着させる部分を意味する。
【００１０】
また、本発明のデータ編集装置において、パターン提示部が、ユーザが頁番号を用紙の片面のみまたは両面に割り付けるのか、および、見開いた際に綴じ位置が左、右もしくは上になるのかに基づいて、頁番号の印刷位置を選択できるように、割り付けパターンを複数提示するものであってもよい。ここで、上記「見開いた」とは、ユーザが冊子を傾けたり、回転させることなく印刷画像を視認できるように見開くことを意味する。
【発明の効果】
【００１１】
本発明のデータ編集装置およびプログラムによれば、頁番号を用紙に割り付ける際、頁番号の印刷位置をユーザが選択できるように、頁番号の割り付けパターンを複数提示し、ユーザが所望する割り付けパターンの選択を受け付けると、選択された割り付けパターンに基づいて、用紙の糊代部分を除いた部分に頁番号が印刷されるように、データを編集するため、ユーザは糊代部分を意識することなく、所望の印刷位置に頁番号を容易に割り付けられる。
【００１２】
また、本発明のデータ編集装置によれば、ユーザが頁番号を用紙の片面のみまたは両面に割り付けるのか、および、冊子を見開いた際に綴じ位置が左、右もしくは上になるのかに基づいて、頁番号の印刷位置を選択できるように、割り付けパターンを複数提示するため、ユーザは印刷方式や綴じ位置によって糊代部分がどこになるのかをも意識しなくても、所望の印刷位置に頁番号を容易に割り付けられる。
【図面の簡単な説明】
【００１３】
【図１】くるみ製本システムの概略構成図
【図２】データ編集部のブロック図
【図３Ａ】表紙印刷画像の編集画面を示す図（その１）
【図３Ｂ】表紙印刷画像の編集画面を示す図（その２）
【図４】本紙印刷画像の編集画面を示す図
【図５Ａ】片面割り付けにおける頁番号の割り付けパターン群を示す図
【図５Ｂ】両面割り付けにおける頁番号の割り付けパターン群を示す図
【図６】左または右綴じ冊子における頁番号画像の配置図
【図７】上綴じ冊子における頁番号画像の配置図
【図８】データ編集部の一連の処理を示すフローチャート
【発明を実施するための形態】
【００１４】
本発明の実施形態について図面を参照して説明する。図１は、本発明の実施形態であるデータ編集部４４を備えたくるみ製本システム１の概略構成図である。くるみ製本システム１は、図１に示すように、印刷装置２、印刷装置２に隣接する製本装置３、印刷装置２とネットワークを介して接続するコンピュータ４とから構成されている。
【００１５】
くるみ製本システム１は、コンピュータ４において、原稿データＤＤを生成し、原稿データＤＤに基づいて画像データＧＤを生成し、画像データＧＤに基づいて印刷データＰＤを生成する。そして、印刷装置２において、印刷データＰＤに基づいて、表紙Ｃと複数枚の本紙Ｈとを印刷し、製本装置３において、複数枚の本紙Ｈを束ねて表紙Ｃで包むことにより、冊子に製本する。
【００１６】
原稿Ｄは、表紙Ｃからなる表紙原稿ＣＤおよび複数枚の本紙Ｈからなる本紙原稿ＨＤから構成される。そして、原稿Ｄは、複数枚の本紙Ｈを表紙Ｃで包んで製本することにより、冊子に製本される。原稿データＤＤは、表紙原稿ＣＤを表す表紙原稿データＣＤＤと本紙原稿ＨＤを表す本紙原稿データＨＤＤとから構成される。
【００１７】
画像データＧＤは、表紙Ｃの印刷画像（以下、表紙印刷画像ＣＧという）を表す表紙画像データＣＧＤと複数の本紙Ｈの印刷画像（以下、本紙印刷画像ＨＧという）を表す複数の本紙画像データＨＧＤとから構成される。印刷データＰＤは、表紙Ｃの印刷ジョブデータである表紙印刷データＣＰＤと本紙Ｈの印刷ジョブデータである本紙印刷データＨＰＤとから構成される。印刷データＰＤはＰＤＬ（Page Description Language）データやラスターデータで構成される。
【００１８】
最初に印刷装置２について説明する。印刷装置２は、印刷データＰＤをコンピュータ４からネットワークを介して受け取り、表紙印刷データＣＰＤに基づいて表紙用紙に表紙Ｃと本紙印刷データＨＰＤに基づいて本紙用紙に複数枚の本紙Ｈとを印刷するものである。印刷装置２は、印刷制御部２１、画像データ記憶部２２、印刷給紙部２３および印刷部２４を備えている。
【００１９】
印刷制御部２１は、各部を制御することにより印刷装置２の全体を制御するものである。また、印刷制御部２１は、コンピュータ４から印刷データＰＤを受け取り、印刷データＰＤに基づいて画像データＧＤに展開する。印刷制御部２１は、表紙印刷データＣＰＤに基づいて表紙画像データＣＧＤ、本紙印刷データＨＰＤに基づいて複数の本紙画像データＨＧＤにそれぞれ展開する。
【００２０】
画像データ記憶部２２は、表紙画像データＣＧＤおよび複数の本紙画像データＨＧＤを印刷が行われるまで記憶するものである。印刷給紙部２３は、印刷部２４に表紙用紙または本紙用紙を給紙するものである。印刷給紙部２３は、表紙用紙を給紙トレイ２３Ａ、本紙用紙を給紙トレイ２３Ｂにそれぞれ収納する。印刷給紙部２３は、収納されている表紙用紙および本紙用紙の大きさ、厚み、判型等の情報を記憶している。
【００２１】
印刷部２４は、画像データＧＤに基づいて、表紙Ｃおよび／または複数枚の本紙Ｈを印刷するものである。印刷部２４は、表紙画像データＣＧＤに基づいて、表紙用紙に表紙Ｃを印刷し、本紙画像データＨＧＤに基づいて、本紙用紙に複数枚の本紙Ｈを印刷する。印刷部２４には、孔版印刷プリンタやインクジェットプリンタやレーザープリンタ等を用いてもよい。本紙印刷データＨＰＤには、ページ数情報、片面印刷または両面印刷かの印刷条件情報も付加されており、印刷制御部２１は、これらの情報に基づいて、印刷部２４に表紙用紙に表紙を印刷させる。
【００２２】
次に製本装置３について説明する。製本装置３はくるみ製本装置である。製本装置３は、印刷装置２より表紙Ｃおよび複数枚の本紙Ｈを受け取る。製本装置３は、表紙Ｃを、短辺の長さが本紙Ｈの長辺の長さと同じであり、長辺の長さが本紙Ｈの短辺の長さを２倍に本紙束の厚みを加算した値と略同じ大きさに裁断する。また、製本装置３は、本紙束の小口側、天側および地側の各側面から所定寸法だけ内側を裁断（以下、化粧裁ちと言う。）することもできる。なお、本実施形態では化粧裁ちは行わないものとする。
【００２３】
そして、製本装置３は、本紙Ｈが糊代部分を有さない場合は複数枚の本紙Ｈを束ねて本紙束に綴じ、本紙Ｈが糊代部分を有する場合は複数枚の本紙Ｈの糊代部分に接着材を塗布し、糊代部分同士を貼り合わせて本紙束に綴じる。そして、製本装置３は、本紙束の背側の側面に接着剤を塗布した後、本紙束を表紙Ｃで包んで冊子を形成する。糊代部分には、本紙の冊子の背に対応する端から１０ｍｍ程度以内の端部を用いることができる。
【００２４】
次にコンピュータ４について説明する。コンピュータ４は、表示部４Ａ、入力部４Ｂおよび本体４Ｃから構成されている。表示部４Ａは、液晶モニタ等の表示装置であり、原稿データ作成プログラム、プリンタドライバおよびデータ編集プログラムを表示する。入力部４Ｂは、キーボード、マウス、ポインティングデバイス等の入力装置であり、原稿データ作成プログラム、プリンタドライバおよびデータ編集プログラムの操作を受け付ける。
【００２５】
本体４Ｃは、中央処理装置（ＣＰＵ）および半導体メモリやハードディスク等から構成され、原稿データ作成プログラム、プリンタドライバおよびデータ編集プログラムをインストールすることにより、コンピュータ４を、原稿データ作成部４２、印刷出力部４３およびデータ編集部４４として機能させる。メモリ４１は、原稿データ作成プログラム、プリンタドライバ、データ編集プログラム、原稿データＤＤおよび画像データＧＤを記憶するものである。なお、原稿データＤＤおよび画像データＧＤは他のコンピュータで作成されたものであってもよい。
【００２６】
原稿データ作成部４２は、原稿データＤＤを生成するものである。原稿データ作成プログラムには、原稿作成用としてMicrosoft社のWord、Excel（登録商標）、PowerPoint（登録商標）、原稿データＤＤへの変換用としてPDF（登録商標）ドライバ等のプログラムを用いてもよい。
【００２７】
原稿データ作成部４２は、表紙原稿ＣＤの画像（以下、表紙原稿画像ＣＤＧという。）および本紙原稿ＨＤの画像（以下、本紙原稿画像ＨＤＧという。）を表示部４Ａに表示しながら、入力部４Ｂからのユーザ操作に基づいて形成し、PDF（Portable Document Format）形式の原稿データＤＤを生成する。原稿データ作成部４２は、本紙原稿ＨＤの頁情報およびインデックス情報を本紙原稿データＨＤＤに付加する。印刷出力部４３は、データ編集部４４から画像データＧＤを受け取り、印刷データＰＤを生成して印刷装置２に出力するものである。コンピュータ４は、データ編集部４４が印刷処理を行い、プリンタドライバが起動させると、印刷出力部４３として機能する。
【００２８】
データ編集部４４は、原稿データＤＤに基づいて、各冊子の画像データＧＤを編集するものであり、表紙原稿データＣＤＤに基づいて表紙画像データＣＧＤ、本紙原稿データＨＤＤに基づいて本紙画像データＨＧＤを編集する。図２はデータ編集部４４のブロック図を示す。データ編集部４４は、図２に示す通り、制御部４４１、表紙画像データ編集部４４２および本紙画像データ編集部４４３およびから構成されている。
【００２９】
制御部４４１は、上記の各部、表示部４Ａおよび入力部４Ｂを制御することにより、データ編集部４４としてコンピュータ４の全体を制御するものである。また、制御部４４１は、入力部４Ｂが受け付けたユーザ指定の原稿データＤＤをメモリ４１から読み出すものである。また、制御部４４１は、後述するように、本紙Ｈに頁番号ＰＮを割り付ける際に割り付けパターンＰｔを複数提示するものでもある。
【００３０】
表紙画像データ編集部４４２は、表紙原稿データＣＤＤに基づいて、各冊子の表紙画像データＣＧＤを編集するものである。図４Ａおよび図４Ｂは表紙印刷画像ＣＧの編集画面を示す。表紙画像データ編集部４４２は、図４Ａおよび図４Ｂに示すように、表紙編集領域ＣＡ上に表紙原稿画像ＣＤＧを配置して表紙印刷画像ＣＧを表示するとともに、表紙印刷画像ＣＧのサムネイル画像も表示する。そして、ユーザは表紙印刷画像ＣＧを参照しながら、表紙編集領域ＣＡ上の表紙原稿画像ＣＤＧが所望の位置、方向および大きさとなるように入力部４Ｂを操作する。表紙画像データ編集部４４２は、入力部４Ｂが受け付けた操作情報に基づいて、表紙画像データＣＧＤを編集する。
【００３１】
表紙印刷画像ＣＧは、図４Ａおよび図４Ｂに示す通り、表表紙画像、背表紙画像、裏表紙画像、表表紙の裏面画像、背表紙の裏面画像および裏表紙の裏面画像から構成される。図４Ａおよび図４Ｂは、左綴じ用の表紙Ｃの表紙印刷画像ＣＧを示している。なお、データ編集部４４は、左綴じ用の表紙画像データＣＧＤの編集に限定されるものではなく、右綴じ用または上綴じ用に用いることも可能である。
【００３２】
表紙画像データ編集部４４２は、入力部４Ｂが受け付けた製本の綴じ位置情報、すなわち表紙Ｃが左綴じ、右綴じまたは上綴じであるかに応じて、表表紙画像、背表紙画像、裏表紙画像、表表紙の裏面画像、背表紙の裏面画像および裏表紙の裏面画像の表紙編集領域上の配置順を変更できる。
【００３３】
本紙画像データ編集部４４３は、本紙原稿データＨＤＤに基づいて、各冊子の本紙画像データＨＧＤを編集するものである。図５は本紙印刷画像ＨＧの編集画面を示す。本紙画像データ編集部４４３は、図５に示すように、本紙原稿データＨＤＤに基づいて、本紙編集領域ＨＡ上に本紙原稿画像ＨＤＧを配置して各本紙印刷画像ＨＧをページ順に表示するとともに、各本紙印刷画像ＨＧのサムネイル画像も表示する。ユーザは本紙印刷画像ＨＧを参照しながら、本紙編集領域ＨＡ上の本紙原稿画像ＨＤＧが所望の位置、方向および大きさとなるように入力部４Ｂを操作する。本紙画像データ編集部４４３は、入力部４Ｂからの操作情報に基づいて、本紙画像データＨＧＤを編集する。
【００３４】
また、本紙画像データ編集部４４３は、入力部４Ｂが受け付けた面付け情報に基づいて、本紙白紙画像上に面数分の本紙原稿画像ＨＤＧを配置する。また、本紙画像データ編集部４４３は、入力部４Ｂが受け付けた片面印刷または両面印刷であるかを示す印刷条件情報に基づいて、各本紙印刷画像ＨＧが本紙Ｈの表面または裏面のいずれに属するかの識別を表示する。
【００３５】
また、本紙画像データ編集部４４３は、頁番号ＰＮの割り付けにおいて、本紙原稿データＨＤＤに付加された頁情報に基づいて、各本紙編集領域ＨＡ上に対応する頁番号画像ＰＮＧを配置する。すなわち本紙画像データ編集部４４３は頁番号画像ＰＮＧを含む本紙画像ＨＧを表す本紙画像データＨＧＤを編集するものである。
【００３６】
本紙画像データ編集部４４３による頁番号ＰＮの割り付けについて説明する。制御部４４１は、頁番号ＰＮを割り付ける際、表示部４Ａに図５Ａおよび図５Ｂに示すような頁番号ＰＮの割り付けパターンＰｔ１〜Ｐｔ３８を複数提示する。図５Ａは頁番号ＰＮを本紙用紙の片面にのみ割り付ける割り付けバターン群を示す図、図５Ｂは頁番号ＰＮを本紙用紙の両面に割り付ける割り付けパターン群を示す図である。各割り付けパターンＰｔは、冊子を見開いた際の頁番号ＰＮの印刷位置を示している。
【００３７】
制御部４４１は、頁番号ＰＮを本紙用紙の片面にのみ割り付けるのか、両面に割り付けるのか、冊子の綴じ位置を本紙Ｈの左、右もしくは上に位置するのかに基づいて、ユーザが選択可能な割り付けパターンＰｔ１〜Ｐｔ３８を複数提示する。なお、以下の説明において、端部とは端から１０ｍｍ以内の領域であり、上に綴じた冊子における天側は見開いた際の左側、地側は冊子を見開いた際の右側とする。
【００３８】
制御部４４１は、片面のみの割り付けにおいて頁番号ＰＮが、小口側であり且つ天側または地側の端部に印刷される割り付けパターンＰｔ１，Ｐｔ２，Ｐｔ７，Ｐｔ８，Ｐｔ１３，Ｐｔ１４や、中央であり且つ天側または地側の端部に印刷される割り付けパターンＰｔ３，Ｐｔ４，Ｐｔ９，Ｐｔ１０，Ｐｔ１５，Ｐｔ１６や、背側であり且つ天側または地側の端部に印刷される割り付けパターンＰｔ５，Ｐｔ６，Ｐｔ１１，Ｐｔ１２，Ｐｔ１７，Ｐｔ１８を提示する。
【００３９】
また、制御部４４１は、両面の割り付けにおいて綴じた冊子で両方の頁番号ＰＮが、小口側であり且つ天側または地側の両端部に印刷される割り付けパターンＰｔ１９〜Ｐｔ２２や、中央であり且つ天側または地側の両端部に印刷される割り付けパターンＰｔ２３，Ｐｔ２４や、中央であり且つ小口側または地側の両端部に印刷される割り付けパターンＰｔ２５，Ｐｔ２６や、背側であり且つ天側または地側の両端部に印刷される割り付けパターンＰｔ２７〜Ｐｔ３０や、一方の頁番号ＰＮが小口側であり且つ天側または地側の端部に印刷され他方の頁番号ＰＮが背側であり且つ天側または地側の端部に印刷される割り付けパターンＰＴ３１〜Ｐｔ３８を提示する。
【００４０】
そして、制御部４４１は、入力部４Ｂに複数提示された割り付けパターンＰｔ１〜Ｐｔ３８のうち、ユーザが所望する割り付けパターンＰｔの選択を受け付けさせる。なお、割り付けパターンＰｔは上記の割り付けパターンに限定されるものではない。また、制御部４４１は、本紙用紙に糊代部分を設けるか否か、設ける場合には糊代部分の幅寸法の入力を要求する設定画面を表示部４Ａに表示させ、入力部４Ｂにユーザの選択および糊代部分の幅寸寸法を受け付けさせる。なお、糊代部分は必ずしも設ける必要はないが、本実施形態においては糊代部分を設けるものとする。また、制御部４４１は、両面印刷する場合に先頭頁が本紙Ｈの表面または裏面になるのかの選択をユーザの選択を受け付けさせてもよい。なお、本実施形態においては先頭頁が本紙用紙の表面になるものとする。
【００４１】
本紙画像データ編集部４４３が、選択された割り付けパターンＰｔに基づいて、本紙編集領域ＨＡ上の糊代部分に対応する糊代領域ＢＡを除いた領域、すなわち見開き部分に対応する見開き領域ＯＡに頁番号画像ＰＮＧが配置されるように、本紙画像データＨＧＤを編集する。なお、見開き領域ＯＡには、製本装置３によって化粧裁ちを行う場合であっても、化粧裁ちされる領域は含まれていないものとする。図６は左綴じまたは右綴じ冊子における頁番号画像ＰＮＧの配置図、図７は上綴じの冊子における頁番号画像ＰＮＧの配置図である。
【００４２】
そして、本紙画像データ編集部４４３は、割り付けパターンＰｔ１，Ｐｔ２、Ｐｔ７，Ｐｔ８，Ｐｔ１９，Ｐｔ２０のいずれか選択されると、図６に示すように、見開き領域ＯＡにおいて本紙Ｈの小口側の端に対応する小口ラインＫＬより所定寸法Ｊ１だけ離れ且つ天側の端に対応する天ラインＴＬまたは地側の端に対応する地ラインＢＬより所定寸法Ｊ２だけ離れた位置に頁番号画像ＰＮＧが配置されるように、本紙画像データＨＧＤを編集する。なお、所定寸法Ｊ１，Ｊ２は、デフォルトで設定されていてもよいし、ユーザより受け付けてもよい。
【００４３】
また、本紙画像データ編集部４４３は、割り付けパターンＰｔ１３，Ｐｔ１４，Ｐｔ２１，Ｐｔ２２のいずれかが選択されると、図７に示すように、見開き領域ＯＡにおいて小口ラインＫＬより所定寸法Ｊ１だけ離れ、天ラインＴＬまたは地ラインＢＬより所定寸法Ｊ２だけ離れた位置に頁番号画像ＰＮＧが配置されるように、本紙画像データＨＧＤを編集する。
【００４４】
また、本紙画像データ編集部４４３は、割り付けパターンＰｔ３，Ｐｔ４、Ｐｔ９，Ｐｔ１０，Ｐｔ２３，Ｐｔ２４のいずれかが選択されると、図６に示すように、見開き領域ＯＡにおいて天ラインＴＬまたは地ラインＢＬより所定寸法Ｊ２だけ離れ、且つ小口ラインＫＬと背ラインＳＬの中間位置（図中一点鎖線）から糊代領域ＢＡの幅寸法Ｗの半分Ｗ／２だけ小口側寄りの位置に頁番号画像ＰＮＧが配置されるように、本紙画像データＨＧＤを編集する。
【００４５】
また、本紙画像データ編集部４４３は、割り付けパターンＰｔ１５，ＰＴ１６，Ｐｔ２５，Ｐｔ２６のいずれかが選択されると、図７に示すように、見開き領域ＯＡにおいて天ラインＴＬまたは地ラインＢＬの中間位置（図中一点鎖線）であり、且つ背ラインＳＬより所定寸法Ｊ２に糊代領域ＢＡの幅寸法Ｗを加算した位置または小口ラインＫＬより所定寸法Ｊ２だけ離れた位置に頁番号画像ＰＮＧが配置されるように、本紙画像データＨＧＤを編集する。
【００４６】
また、本紙画像データ編集部４４３は、割り付けパターンＰｔ５，Ｐｔ６，Ｐｔ１１，ＰＴ１２，Ｐｔ２７，Ｐｔ２８のいずれかが選択されると、図６に示すように、見開き領域ＯＡにおいて天ラインＴＬまたは地ラインＢＬより所定寸法Ｊ２だけ離れ、且つ本紙Ｈの背側の端に対応する背ラインＳＬから所定寸法Ｊ１に糊代領域ＢＡの幅寸法Ｗを加算した分だけ離れた位置に頁番号画像ＰＮＧが配置されるように、本紙画像データＨＧＤを編集する。
【００４７】
また、本紙画像データ編集部４４３は、割り付けパターンＰｔ１７，Ｐｔ１８，Ｐｔ２９，Ｐｔ３０のいずれかが選択されると、図７に示すように、見開き領域ＯＡにおいて天ラインＴＬまたは地ラインＢＬより所定寸法Ｊ２だけ離れ且つ本紙Ｈの背側の端に対応する背ラインＳＬから所定寸法Ｊ１に糊代領域ＢＡの幅寸法Ｗを加算した分だけ離れた位置に頁番号画像ＰＮＧが配置されるように、本紙画像データＨＧＤを編集する。
【００４８】
また、本紙画像データ編集部４４３は、割り付けパターンＰｔ３１〜Ｐｔ３４のいずれかが選択されると、本実施形態では先頭頁が本紙Ｈの表面であるため、奇数頁となる本紙画像データＨＧＤについては天ラインＴＬまたは地ラインＢＬより所定寸法Ｊ２だけ離れ且つ本紙Ｈの背側の端に対応する背ラインＳＬから所定寸法Ｊ１に糊代領域ＢＡの幅寸法Ｗを加算した分だけ離れた位置に頁番号画像ＰＮＧが配置されるように編集し、偶数頁となる本紙画像データＨＧＤについては小口ラインＫＬより所定寸法Ｊ１だけ離れ且つ天ラインＴＬまたは地ラインＢＬより所定寸法Ｊ２だけ離れた位置に頁番号画像ＰＮＧが配置されるように編集する。
【００４９】
また、本紙画像データ編集部４４３は、割り付けパターンＰｔ３５〜Ｐｔ３８のいずれかが選択されると、本実施形態では先頭頁が本紙Ｈの表面であるため、偶数頁となる本紙画像データＨＧＤについては天ラインＴＬまたは地ラインＢＬより所定寸法Ｊ２だけ離れ且つ本紙Ｈの背側の端に対応する背ラインＳＬから所定寸法Ｊ１に糊代領域ＢＡの幅寸法Ｗを加算した分だけ離れた位置に頁番号画像ＰＮＧが配置されるように編集し、奇数頁となる本紙画像データＨＧＤについては小口ラインＫＬより所定寸法Ｊ１だけ離れ且つ天ラインＴＬまたは地ラインＢＬより所定寸法Ｊ２だけ離れた位置に頁番号画像ＰＮＧが配置されるように編集する。
【００５０】
ここで通常の原稿アプリケーション、たとえばMicrosoft社のWordを用いて、見開いた際に左右の頁において頁番号ＰＮの印刷位置が綴じ位置に対して線対称となるような割り付けパターンＰｔ１９〜Ｐｔ３０に基づいて頁番号ＰＮを割り付けようとすると、本紙Ｈの表面と裏面とでは頁番号ＰＮの印刷位置が異なるため、ユーザは、奇数頁の本紙画像データＨＤＤの頁番号ＰＮを割り付けと奇数頁の本紙画像データＨＤＤの頁番号ＰＮを割り付けとの両方を設定する必要がある。
【００５１】
しかしながら、本紙画像データ編集部４３３は、本実施形態では先頭頁は本紙Ｈの表面となるので、綴じ位置が左または右の場合は奇数頁の本紙編集領域ＨＡにおいては左側が背側で右側が小口側であり、偶数頁の本紙編集領域ＨＡにおいては右側が背側で左側が小口側と判断し、綴じ位置が上の場合は奇数頁の本紙編集領域ＨＡにおいては上側が背側で下側が小口側であり、偶数頁の本紙編集領域ＨＡにおいては下側が背側で上側が小口側と判断と判断し、自動的に小口ラインＫＬ、背ラインＳＬおよび糊代領域ＢＡを設定するため、ユーザは単に割り付けパターンＰｔ１〜Ｐｔ３８のいずれかを選択するだけで、所望の印刷位置に頁番号ＰＮが印刷されるように、本紙画像データＨＧＤを編集できる。
【００５２】
次にデータ編集部４４の作用を説明する。図８はデータ編集部４４の一連の処理を示すフローチャートである。制御部４４１がユーザ指定の原稿データＤＤを読み出す（ＳＴ１）。そして、表紙画像データ編集部４４２が表紙画像データＣＧＤを編集する（ＳＴ２）。本紙画像データ編集部４４３が本紙印刷画像ＨＧを編集する（ＳＴ３）。そして、制御部４４１が、割り付けパターンＰｔ１〜Ｐｔ３８を表示部４Ａに提示し（ＳＴ４）、入力部４Ｂにユーザが所望する割り付けパターンＰｔの選択を受け付けさせる（ＳＴ５）。そして、本紙画像データ編集部４４３が、選択された割り付けパターンＰｔに基づいて、見開き領域ＯＡに頁番号画像ＰＮＧを配置し（ＳＴ６）、本紙画像データＨＧＤを編集する。そして、印刷処理が実行された後（ＳＴ７）、処理を終了する。なお、表紙画像データＣＧＤの編集と本紙画像データＨＧＤ編集の順序は特に限定されるものではない。
【００５３】
以上に述べた通り、上記の実施形態によれば、制御部４４１が頁番号の割り付けパターンＰｔ１〜Ｐｔ３８を提示し、提示された割り付けパターンＰｔ１〜Ｐｔ３８のうち、ユーザより所望の割り付けパターンＰｔの選択を受け付けると、本紙画像データ編集部４３３が、選択された割り付けパターンに基づいて、見開き領域ＯＡに頁番号画像ＰＮＧが配置されるように、本紙画像データＨＤＤを編集するため、ユーザは糊代部分を意識することなく、容易に頁番号ＰＮを割り付けられる。
【００５４】
また、上記の実施形態によれば、制御部４４１が、ユーザが頁番号ＰＮを片面のみまたは両面に割り付けるのか、および、冊子の綴じ位置を左、右もしくは上になるのかに基づいて、頁番号ＰＮの印刷位置を選択できるように、割り付けパターンＰｔ１〜３８を複数提示するため、印刷方式や綴じ位置によって変化する糊代部分の位置を意識しなくても、容易に頁番号ＰＮを割り付けられる。
【００５５】
また、上記の実施形態によれば、本紙画像データ編集部４３３が、頁番号ＰＮの両面の割り付けにおいて、冊子を見開いた際、裏面頁の頁番号画像ＰＮＧを小口ラインＫＬより所定寸法Ｊ１だけ離れた位置に配置し、表面頁の頁番号画像ＰＮＧを背ラインＳＬより所定寸法Ｊ１に糊代領域の厚みＷを加算した分だけ離れた位置に配置するため、糊代部分を有する場合であっても、糊代部分を意識することなく両方の頁番号がバランスよく印刷され、冊子の美観を損なうことなく容易に頁番号ＰＮを割り付けられる。
【００５６】
また、上記の実施形態によれば、制御部４４１が、冊子を見開いた際、一方の頁番号ＰＮの印刷位置と他方の頁番号ＰＮの印刷位置とが綴じ位置に対して線対称となる割り付けパターンＰｔ１９〜Ｐｔ３０を提示するため、表面頁と裏面頁とで頁番号ＰＮの印刷位置をそれぞれ設定する必要がなく、割り付けパターンＰｔ１９〜Ｐｔ３０のいずれかを選択するだけで容易に頁番号ＰＮを割り付けられる。
【符号の説明】
【００５７】
ＢＡ    糊代領域
ＰＮ    頁番号
ＰＮＧ  頁番号画像
Ｐｔ１〜Ｐｔ３８  割り付けパターン
４      コンピュータ
４Ａ    表示部
４Ｂ    入力部
４Ｃ    本体
４４  データ編集部
４４１  制御部
４４３  本紙画像データ編集部
【図１】
2013225230.tif 000003
【図２】
2013225230.tif 000004
【図３Ａ】
2013225230.tif 000005
【図３Ｂ】
2013225230.tif 000006
【図４】
2013225230.tif 000007
【図５Ａ】
2013225230.tif 000008
【図５Ｂ】
2013225230.tif 000009
【図６】
2013225230.tif 000010
【図７】
2013225230.tif 000011
【図８】
2013225230.tif 000012